(57)【要約】【課題】接続時に平型導体が接触するコネクタのコンタクトの数を調整でき、かつ、コネクタへの平型導体の挿入性を向上できる取付部品を提供する。【解決手段】本発明に係る、平型導体２０が挿入される収容部３２を有するコネクタ３０の収容領域を調整するための取付部品１０は、平型導体２０の挿入方向に延伸する延伸部１１を備え、延伸部１１の挿入方向における先端は、コネクタ３０を構成するインシュレータ３１の収容部３２の底面と対向し、延伸部１１は、インシュレータ３１に保持される複数のコンタクトの配列方向において収容部３２に挿入された平型導体２０と並列する。【選択図】図１
2018067522.tif 000002
【特許請求の範囲】
【請求項１】
平型導体が挿入される収容部を有するコネクタの収容領域を調整するための取付部品であって、
前記平型導体の挿入方向に延伸する延伸部を備え、
前記延伸部の前記挿入方向における先端は、前記コネクタを構成するインシュレータの前記収容部の底面と対向し、
前記延伸部は、前記インシュレータに保持される複数のコンタクトの配列方向において前記収容部に挿入された前記平型導体と並列する、
取付部品。
【請求項２】
前記延伸部は、前記コンタクトと当接する、
請求項１に記載の取付部品。
【請求項３】
前記延伸部は、前記コンタクトと係止する凹部を有する、
請求項２に記載の取付部品。
【請求項４】
前記延伸部の前記先端の反対側に設けられた、前記延伸部と連続する梁持部をさらに備え、
前記梁持部は、前記配列方向を向く側面に設けられた、前記平型導体を前記コネクタに挿入する際に当該平型導体を導くためのガイド部を有する、
請求項１乃至３のいずれか１項に記載の取付部品。
【請求項５】
前記延伸部の前記先端は、前記収容部の前記底面に設けられた凹部内に位置する、
請求項１乃至４のいずれか１項に記載の取付部品。
【発明の詳細な説明】
【技術分野】
【０００１】
本発明は、平型導体が挿入される収容部を有するコネクタの収容領域を調整するための取付部品に関する。
【背景技術】
【０００２】
従来、電子機器などの内部で使用するフレキシブルプリント回路基板（ＦＰＣ）又はフレキシブルフラットケーブル（ＦＦＣ）を、回路基板に固定された１つのコネクタに複数接続するための技術が知られている。
【０００３】
例えば、特許文献１に記載のフレキシブルケーブルコネクタは、アクチュエータ５０に脱着可能に取着される分割部材５２によって、複数のＦＰＣ又はＦＦＣの接続を可能にする。
【０００４】
また、特許文献２に記載のフレキシブルフラットケーブルの接続構造は、アジャスタ４によってコネクタ１の内部に複数形成された区画部分内で、複数のＦＦＣの挿入を可能とする。
【０００５】
また、特許文献３に記載のＦＰＣ用コネクタは、２つのＦＰＣをカバーハウジング４で押さえることで、当該一対のＦＰＣとプリント基板との電気的な接続を可能にする。
【先行技術文献】
【特許文献】
【０００６】
【特許文献１】実用新案登録第２５９０３１２号
【特許文献２】特開２００７−１７９７９９号
【特許文献３】特許第４０９９０４７号
【発明の概要】
【発明が解決しようとする課題】
【０００７】
１つのコネクタに１つ以上のＦＰＣ又はＦＦＣを接続する場合、コネクタは、様々な極数を有する任意のＦＰＣ又はＦＦＣに対応可能であることが望ましい。一方で、ＦＰＣ又はＦＦＣをコネクタに挿入する際の振れ又は斜め挿しによって、ＦＰＣ又はＦＦＣがコネクタに正確に接続されないという問題がある。しかしながら、従来技術は、このような挿入性に関する問題を考慮したものではなかった。
【０００８】
かかる観点に鑑みてなされた本発明の目的は、接続時に平型導体が接触するコネクタのコンタクトの数を調整でき、かつ、コネクタへの平型導体の挿入性を向上できる取付部品を提供することにある。
【課題を解決するための手段】
【０００９】
上記課題を解決するために、第１の観点に係る取付部品は、
平型導体が挿入される収容部を有するコネクタの収容領域を調整するための取付部品であって、
前記平型導体の挿入方向に延伸する延伸部を備え、
前記延伸部の前記挿入方向における先端は、前記コネクタを構成するインシュレータの前記収容部の底面と対向し、
前記延伸部は、前記インシュレータに保持される複数のコンタクトの配列方向において前記収容部に挿入された前記平型導体と並列する。
【００１０】
また、第２の観点に係る取付部品では、
前記延伸部は、前記コンタクトと当接する。
【００１１】
また、第３の観点に係る取付部品では、
前記延伸部は、前記コンタクトと係止する凹部を有する。
【００１２】
また、第４の観点に係る取付部品は、
前記延伸部の前記先端の反対側に設けられた、前記延伸部と連続する梁持部をさらに備え、
前記梁持部は、前記配列方向を向く側面に設けられた、前記平型導体を前記コネクタに挿入する際に当該平型導体を導くためのガイド部を有する。
【００１３】
また、第５の観点に係る取付部品では、
前記延伸部の前記先端は、前記収容部の前記底面に設けられた凹部内に位置する。
【発明の効果】
【００１４】
本発明によれば、接続時に平型導体が接触するコネクタのコンタクトの数を調整でき、かつ、コネクタへの平型導体の挿入性を向上できる取付部品を提供可能である。
【図面の簡単な説明】
【００１５】
【図１】取付部品によって２つのＦＰＣをコネクタに接続した状態を上面視により示した斜視図である。
【図２】図１の取付部品、ＦＰＣ、及びコネクタを示した上面図である。
【図３】図１の取付部品、ＦＰＣ、及びコネクタを分解して示した分解斜視図である。
【図４】図２のIV-IV矢線に沿う断面図である。
【図５】図２のV-V矢線に沿う断面図である。
【図６】一実施形態に係る取付部品単体を上面視により示した斜視図である。
【図７】図２のVII-VII矢線に沿う断面図である。
【図８】図２のVIII-VIII矢線に沿う断面図である。
【図９】第１の変形例を示した図７に対応する断面図である。
【図１０】第２の変形例を示した図７に対応する断面図である。
【図１１】第３の変形例を示した図８に対応する断面図である。
【図１２】第４の変形例に係る取付部品のコネクタへの取り付けの様子を上面視により示した斜視図である。
【図１３】取付部品の他の使用例を上面視により示した斜視図である。
【発明を実施するための形態】
【００１６】
以下、添付図面を参照しながら本発明の一実施形態について説明する。なお、以下の説明中の前後、左右、及び上下の方向は、図中の矢印の方向を基準としている。
【００１７】
以下では、本実施形態に係る取付部品１０は、一例として、ＦＰＣ２０である平型導体をコネクタ３０に接続するために使用されるものとして説明するが、これに限定されない。取付部品１０は、ＦＦＣ又はカードエッジなど任意の平型導体を接続するために使用されてもよい。
【００１８】
図１は、取付部品１０によって２つのＦＰＣ２０をコネクタ３０に接続した状態を上面視により示した斜視図である。図２は、図１の取付部品１０、ＦＰＣ２０、及びコネクタ３０を示した上面図である。図３は、図１の取付部品１０、ＦＰＣ２０、及びコネクタ３０を分解して示した分解斜視図である。図４は、図２のIV-IV矢線に沿う断面図である。図５は、図２のV-V矢線に沿う断面図である。
【００１９】
取付部品１０は、１つ以上のＦＰＣ２０が挿入されるコネクタ３０の収容領域を調整する。図１では、一例として、取付部品１０は、コネクタ３０を２つの領域に分割し、２つのＦＰＣ２０をコネクタ３０に接続するために使用される。取付部品１０は、コネクタ３０に対して挿抜可能である。
【００２０】
ＦＰＣ２０（平型導体）は、図３に示すとおり、複数の薄膜材を互いに接着して構成した積層構造である。ＦＰＣ２０は、長手方向の両端部を構成しかつその他の部分に比べて硬い端部補強部材２１と、ＦＰＣ２０の延長方向に沿って直線的に延びかつ端部補強部材２１の前面まで延びる複数の回路パターン２２と、を備えている。図３では、一例として、極数１６の回路パターン２２を有するＦＰＣ２０と極数１１の回路パターン２２を有するＦＰＣ２０とが、コネクタ３０に挿入される。複数の回路パターン２２は、左右方向に一列に配列される。複数の回路パターン２２は、ＦＰＣ２０のコネクタ３０への挿入時に、後述する交互に配列された第１コンタクト３４Ａ及び第２コンタクト３４Ｂと接触する。
【００２１】
コネクタ３０は、左右方向に延びるインシュレータ３１と、インシュレータ３１に交互に保持された複数の第１コンタクト３４Ａ（コンタクト）及び複数の第２コンタクト３４Ｂ（コンタクト）と、を具備する。コネクタ３０は、回路基板上に取り付けられる。コネクタ３０は、ＦＰＣ２０と回路基板とを、複数の第１コンタクト３４Ａ及び複数の第２コンタクト３４Ｂを通じて電気的に接続する。
【００２２】
インシュレータ３１は、電気絶縁性かつ耐熱性の合成樹脂材料を成形したものである。インシュレータ３１は、左右方向に延びる略直方体形状により成形される。インシュレータ３１は、上面の中央部に位置し、左右方向にわたって上面から下方へと延在するように凹設された、収容部３２を有する。収容部３２は、上方からコネクタ３０に挿入されるＦＰＣ２０を受け入れる。収容部３２の上方は開口しており、収容部３２へのＦＰＣ２０の挿抜が可能となっている。
【００２３】
インシュレータ３１の収容部３２の１つの側面、例えば前面には、それぞれ上下方向に延在する、複数の第１コンタクト取付溝３３Ａ及び複数の第２コンタクト取付溝３３Ｂが形成される（図４及び図５参照）。複数の第１コンタクト取付溝３３Ａ及び複数の第２コンタクト取付溝３３Ｂは、左右方向に一列に形成され、交互に配置される。各第１コンタクト取付溝３３Ａには、対応する第１コンタクト３４Ａが保持される。各第２コンタクト取付溝３３Ｂには、対応する第２コンタクト３４Ｂが保持される。
【００２４】
第１コンタクト３４Ａ及び第２コンタクト３４Ｂは、ばね弾性を備えた銅合金（例えばリン青銅、ベリリウム銅、チタン銅）又はコルソン系銅合金の薄板を板厚の方向に順送金型（スタンピング）を用いて図示形状に成形加工したものである（図４及び図５参照）。第１コンタクト３４Ａ及び第２コンタクト３４Ｂは、インシュレータ３１の第１コンタクト取付溝３３Ａ及び第２コンタクト取付溝３３Ｂにそれぞれ保持される。
【００２５】
第１コンタクト３４Ａは、その先端部に設けられ、インシュレータ３１の内側に突出した第１接触突部３５Ａと、その下端部に設けられ、略Ｌ字状に屈曲した第１実装部３６Ａと、を有する。第１接触突部３５Ａは、ＦＰＣ２０の挿入時に、ＦＰＣ２０の対応する回路パターン２２と接触する（図４参照）。第１実装部３６Ａは、回路基板上に設けられた対応する回路パターンにはんだ付けされる。
【００２６】
第２コンタクト３４Ｂは、その先端部に設けられ、インシュレータ３１の内側に突出した第２接触突部３５Ｂと、その下端部に設けられ、一段下方に突出した第２実装部３６Ｂと、を有する。第２接触突部３５Ｂは、ＦＰＣ２０の挿入時に、ＦＰＣ２０の対応する回路パターン２２と接触する（図５参照）。第２実装部３６Ｂは、回路基板上に設けられた対応する回路パターンにはんだ付けされる。
【００２７】
取付部品１０を用いて、コネクタ３０に２つのＦＰＣ２０を接続するための手順は、以下のとおりである（図３参照）。初めに、取付部品１０がコネクタ３０の収容部３２の所定位置に挿入される。取付部品１０は、２つのＦＰＣ２０の回路パターン２２の極数に応じて、対応する位置に挿入される。続いて、取付部品１０が挿入されたコネクタ３０に、上方から２つのＦＰＣ２０が挿入される。このように、取付部品１０によって、２つのＦＰＣ２０の回路パターン２２の極数に対応するように、コネクタ３０の２つの分割領域が形成される。なお、取付部品１０をコネクタ３０に挿入する際に、対応する冶具を用いて、コネクタ３０への挿入位置を決定してもよい。
【００２８】
図６は、一実施形態に係る取付部品１０単体を上面視により示した斜視図である。図７は、図２のVII-VII矢線に沿う断面図である。図８は、図２のVIII-VIII矢線に沿う断面図である。
【００２９】
取付部品１０は、ＦＰＣ２０の挿入方向、すなわち下方向に延伸する延伸部１１と、延伸部１１の上端に設けられた、延伸部１１と連続する梁持部１２と、を備える。
【００３０】
延伸部１１は、図７及び図８に示すとおり、コネクタ３０の収容部３２の深さと略同一である。ＦＰＣ２０の挿入方向における延伸部１１の先端、すなわち延伸部１１の下端は、コネクタ３０を構成するインシュレータ３１の収容部３２の底面と対向する。特に、延伸部１１の下端とインシュレータ３１の収容部３２の底面とは、離間するのが好適である。延伸部１１は、ＦＰＣ２０がコネクタ３０の収容部３２に挿入された状態で、インシュレータ３１に保持される複数のコンタクトの配列方向、すなわち左右方向（収容部３２の長手方向）において、ＦＰＣ２０と並列する。すなわち、延伸部１１は、左右方向に沿って、ＦＰＣ２０の真横に位置する。より詳細には、延伸部１１は、２つのＦＰＣ２０が収容部３２に挿入されると、収容部３２内において、２つのＦＰＣ２０の複数の回路パターン２２によって左右両側から挟まれるように配置される。すなわち、延伸部１１及び回路パターン２２は、左右方向に一列に配列される。また、延伸部１１は、インシュレータ３１に保持される複数の第１コンタクト３４Ａ及び複数の第２コンタクト３４Ｂのいずれかと当接する。より詳細には、延伸部１１は、複数の第１コンタクト３４Ａの第１接触突部３５Ａ及び複数の第２コンタクト３４Ｂの第２接触突部３５Ｂのいずれかと当接する。
【００３１】
梁持部１２は、前後方向に幅広であり、左右方向の側面視において略コ字形である。すなわち、梁持部１２は、取付部品１０がコネクタ３０の収容部３２に挿入された状態で、インシュレータ３１の前後両側において、インシュレータ３１の上面よりも下方に張り出す（図７参照）。また、梁持部１２は、左右両側面（複数のコンタクトの配列方向を向く側面）に設けられたガイド部１３を有する。ガイド部１３は、ＦＰＣ２０をコネクタ３０に挿入する際に、ＦＰＣ２０を収容部３２内へと導く役割を果たす。
【００３２】
取付部品１０がコネクタ３０に挿入された際に、取付部品１０の上下方向の位置は、インシュレータ３１の上面を基準に決定される。取付部品１０がコネクタ３０に挿入されると、梁持部１２の前後両側において下方に張り出した部分がインシュレータ３１の前後両面の上縁部を覆うように配置される。
【００３３】
また、取付部品１０がコネクタ３０に挿入された際に、取付部品１０の左右方向の位置は、延伸部１１が複数の第１コンタクト３４Ａの第１接触突部３５Ａ及び複数の第２コンタクト３４Ｂの第２接触突部３５Ｂのいずれかと当接することによって決定される。言い換えると、延伸部１１の対応する部分が複数の第１接触突部３５Ａ及び複数の第２接触突部３５Ｂのいずれかと当接することで、取付部品１０は、左右方向に移動しようとすると、対応するコンタクトの弾性力により抵抗を受ける。この時、取付部品１０は、上下方向に移動しようとするときも、対応するコンタクトの弾性力により抵抗を受ける。これにより、取付部品１０が収容部３２内に収容された状態で、上下左右に移動しようとする力に抵抗が加わるので、取付部品１０は、容易に移動することができない。
【００３４】
以上のような本実施形態に係る取付部品１０は、コネクタ３０の収容部３２の任意の位置に挿入可能であるので、汎用性を確保できる。すなわち、取付部品１０は、様々な極数の回路パターン２２を有するＦＰＣ２０の接続に使用できる。このように、取付部品１０は、接続対象となるＦＰＣ２０の極数に対応するように、コネクタ３０の極数を調整することができる。
【００３５】
また、取付部品１０は、延伸部１１がコネクタ３０の収容部３２内に位置しているので、ＦＰＣ２０のコネクタ３０への挿入性を向上できる。すなわち、取付部品１０は、ＦＰＣ２０の挿入時及び挿入後において、ＦＰＣ２０の振れ又は斜め挿しを防止できる。これにより、取付部品１０は、ＦＰＣ２０の回路パターン２２とコネクタ３０の対応するコンタクトとの接触不良を防止できる。同様に、取付部品１０は、ＦＰＣ２０の左右方向への位置ずれも防止できる。
【００３６】
また、取付部品１０は、延伸部１１の下端が収容部３２の底面と対向することで、ＦＰＣ２０が挿入されていないインシュレータ３１内の空洞を低減できる。これにより、取付部品１０は、当該空洞への異物の侵入を抑止できる。
【００３７】
また、取付部品１０は、延伸部１１がＦＰＣ２０の真横に位置することで、コネクタ３０の省スペース化を実現できる。すなわち、ＦＰＣ２０と取付部品１０とが左右方向に一列に配置されるので、特許文献１に記載のような前後方向に幅を持った取付部品によって前後方向に互い違いになるように左右方向にＦＰＣ２０が配列される場合と比べて、コネクタ３０はより小型になる。
【００３８】
また、取付部品１０は、延伸部１１が対応するコンタクトと当接することで、その弾性力によりコネクタ３０に対して保持される。取付部品１０は、対応するコンタクトの弾性力により保持される構造なので、様々な極数を有するコネクタ３０に対して使用可能である。すなわち、取付部品１０は、汎用性を有する。
【００３９】
また、取付部品１０は、ガイド部１３により、ＦＰＣ２０の挿入性をさらに向上できる。すなわち、取付部品１０は、ＦＰＣ２０がコネクタ３０に挿入される際に、その一端がガイド部１３に合わされることで、斜め挿しを防止できる。また、取付部品１０は、ＦＰＣ２０の挿入後であっても、ガイド部１３がＦＰＣ２０の一端を支持するので、ＦＰＣ２０の挿入状態を安定化できる。
【００４０】
本発明は、その精神又はその本質的な特徴から離れることなく、上述した実施形態以外の他の所定の形態で実現できることは当業者にとって明白である。従って、先の記述は例示的なものであり、これに限定されるものではない。発明の範囲は、先の記述によってではなく、付加した請求項によって定義される。あらゆる変更のうちその均等の範囲内にあるいくつかの変更は、その中に包含されるものとする。
【００４１】
図９は、第１の変形例を示した図７に対応する断面図である。例えば、図９に示すように、延伸部１１は、対応するコンタクト、特に、対応するコンタクトの接触突部と係止する凹部１４を有してもよい。これにより、対応するコンタクトの接触突部が凹部１４に嵌り、取付部品１０は、上方への抜止作用を実現できる。同時に、凹部１４により、取付部品１０の左右方向への位置ずれが規制される。また、図９では、凹部１４は、延伸部１１の第２接触突部３５Ｂと対応する位置近傍にのみ形成されるが、これに限定されない。凹部１４は、例えば、延伸部１１の上下幅全体に延在する細長い矩形状に形成されてもよい。この時、対応するコンタクトの接触突部のより広い範囲が凹部１４内に挿入されるので、取付部品１０の左右方向への位置ずれがより強く規制される。
【００４２】
また、図１０は、第２の変形例を示した図７に対応する断面図である。例えば、図１０に示すように、延伸部１１は、対応するコンタクト、特に、対応するコンタクトの接触突部と係止する凸部１５を有してもよい。これにより、取付部品１０が上方に移動しようとする際に、凸部１５が対応する接触突部に引っ掛かるので、取付部品１０は、上方への抜止作用を実現できる。
【００４３】
また、取付部品１０は、上述した凹部１４と凸部１５とを共に有するように構成されてもよい。これにより、取付部品１０は、上方への抜止作用をより増強できる。
【００４４】
また、図１１は、第３の変形例を示した図８に対応する断面図である。例えば、図１１に示すように、延伸部１１の下端は、インシュレータ３１の収容部３２の底面に設けられた所定の凹部３７内に位置してもよい。収容部３２の底面に設けられた凹部３７は、延伸部１１と比較して左右方向にわずかに幅広である。これにより、取付部品１０の左右方向の位置が決定される。同時に、取付部品１０は、左右方向に移動しようとすると、インシュレータ３１の凹部３７の側面に衝突するので、左右方向の位置ずれを防止することができる。
【００４５】
また、図１２は、第４の変形例に係る取付部品１０のコネクタ３０への取り付けの様子を上面視により示した斜視図である。例えば、図１２に示すとおり、梁持部１２は、インシュレータ３１の上面の外枠全体を上方から覆うように形成されてもよい。この時、梁持部１２は、延伸部１１によって左右方向に２つの領域に分割される。すなわち、梁持部１２は、図１２に示すとおり、２つの開口部１６を有する。２つのＦＰＣ２０は、２つの開口部１６を上方から下方へと通過して、コネクタ３０へと挿入される。これにより、取付部品１０は、より安定した状態でコネクタ３０に取り付けられる。また、取付部品１０は、梁持部１２の上下方向の幅を低減できるので、ＦＰＣ２０の挿入時に、梁持部１２とＦＰＣ２０とが衝突する可能性を低減し、ＦＰＣ２０の挿入性をより向上できる。
【００４６】
また、本実施形態に係る取付部品１０は、コネクタ３０を２つの領域に分割し、２つのＦＰＣ２０を挿入するために使用されるものとして説明したが、これに限定されない。例えば、複数の取付部品１０を用いて、コネクタ３０を３つ以上の領域に分割してもよい。また、取付部品１０を用いて分割された２つ以上の全ての領域に対して、ＦＰＣ２０がそれぞれ挿入される必要はない。取付部品１０は、分割された任意の数の領域に対して、その数以下の任意の数のＦＰＣ２０を挿入するために使用されてもよい。
【００４７】
また、取付部品１０は、収容部３２の一端に挿入され、収容部３２の残りの部分に保持されたコンタクト数に対応した極数の回路パターン２２を有する１つのＦＰＣ２０を挿入するために使用されてもよい。図１３は、取付部品１０の他の使用例を上面視により示した斜視図である。より具体的には、図１３に示すように、取付部品１０は、例えば４０ピンに対応したコネクタ３０の左端に挿入され、４つのコンタクトにより保持される。この時、残りの３６ピンに対応した極数３６の回路パターン２２を有するＦＰＣ２０がコネクタ３０と接続される。
【００４８】
また、取付部品１０は、コネクタ３０が有する対応するコンタクトによって保持されるものとして説明したが、これに限定されない。取付部品１０は、任意の他の機構によってコネクタ３０に保持されてもよい。
【符号の説明】
【００４９】
１０    取付部品
１１    延伸部
１２    梁持部
１３    ガイド部
１４    凹部
１５    凸部
１６    開口部
２０    ＦＰＣ（平型導体）
２１    端部補強部材
２２    回路パターン
３０    コネクタ
３１    インシュレータ
３２    収容部
３３Ａ  第１コンタクト取付溝
３３Ｂ  第２コンタクト取付溝
３４Ａ  第１コンタクト（コンタクト）
３４Ｂ  第２コンタクト（コンタクト）
３５Ａ  第１接触突部
３５Ｂ  第２接触突部
３６Ａ  第１実装部
３６Ｂ  第２実装部
３７    凹部
【図１】
2018067522.tif 000003
【図２】
2018067522.tif 000004
【図３】
2018067522.tif 000005
【図４】
2018067522.tif 000006
【図５】
2018067522.tif 000007
【図６】
2018067522.tif 000008
【図７】
2018067522.tif 000009
【図８】
2018067522.tif 000010
【図９】
2018067522.tif 000011
【図１０】
2018067522.tif 000012
【図１１】
2018067522.tif 000013
【図１２】
2018067522.tif 000014
【図１３】
2018067522.tif 000015